(57)【要約】【課題】従来の空気清浄機はリモコン受信部の位置が固定されているので、空気清浄機の設置場所によってはリモコン操作出来ないという課題があり、空気清浄機本体の設置場所に関わらず、リモコン操作が出来る空気清浄機を提供することを目的としている。【解決手段】ファンモーター３を遠隔操作運転するリモコン８からの送信信号を受信する受光ユニット６と、受光ユニット６の位置を調整する可動部７を本体内に備え、可動部７は回転軸７ａ及びベルト７ｂにて形成され、受光ユニット６と接続することにより、空気清浄機本体１の設置場所に応じて、受光ユニット６の位置を可動でき、受光ユニット６が送信信号を受信できることとなり、使用者がリモコン操作出来て使いやすい空気清浄機が得られる。【選択図】図１
2009101304.tif 000002
【特許請求の範囲】
【請求項１】
本体に設けた吸気口と、この吸気口から吸気した汚れ空気を清浄化する浄化手段と、この浄化手段に通風する送風手段と、空気中の汚れ成分を検出する汚れ検出手段と、前記送風手段を遠隔操作運転するリモコンと、このリモコンからの送信信号を受信するリモコン受信部を備えた空気清浄機であって、前記リモコン受信部の位置を調整することができる可動部を備えたことを特徴とする空気清浄機。
【請求項２】
可動部はリモコン受信部の位置を上下方向に調整することができるようにしたことを特徴とする請求項１記載の空気清浄機。
【請求項３】
可動部はリモコン受信部の位置を左右方向に調整することができるようにしたことを特徴とする請求項１記載の空気清浄機。
【請求項４】
可動部はリモコン受信部の位置を回転方向に調整することができるようにしたことを特徴とする請求項１記載の空気清浄機。
【請求項５】
可動部の動作を制御する制御部を備え、リモコン受信部の位置を自動で調整することができるようにしたことを特徴とする請求項１〜４いずれか記載の空気清浄機。
【請求項６】
リモコン受信部の位置を自動または手動のどちらでも調整することができるようにしたことを特徴とする請求項５記載の空気清浄機。
【請求項７】
人検出手段を備え、前記人検出手段が人を検出した方向にリモコン受信部の位置を調整することを特徴とする請求項５または６記載の空気清浄機。
【請求項８】
人検出手段が人を検出しない場合、リモコン受信部の位置を停止しないようにしたことを特徴とする請求項７記載の空気清浄機。
【請求項９】
人検出手段が人を検出しない時間が一定時間経った場合、リモコン受信部の位置の調整を停止するようにしたことを特徴とする請求項７または８記載の空気清浄機。
【請求項１０】
壁や障害物との距離を測定する距離測定手段を備え、前記距離測定手段が壁や障害物を検出しない方向に、リモコン受信部の位置を調整することを特徴とする請求項５または６記載の空気清浄機。
【請求項１１】
距離測定手段の検出した距離が最長となる方向に、リモコン受信部の位置を調整することを特徴とする請求項１０記載の空気清浄機。
【請求項１２】
リモコンでリモコン受信部の位置を調整することができるようにしたことを特徴とする請求項５〜１１いずれか記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、浄化手段を通して清浄化する空気清浄機に関するものである。
【背景技術】
【０００２】
従来、この種の空気清浄機は下記に記載されたものが知られている。
【０００３】
以下その空気清浄機について図２０および図２１を用いて説明する。図２０に示すように、空気清浄機本体１０１には、前方に吸気口１０２、後方にはモーター１０４、ファン１０５が設けられている。また上方には排気口１０３、吸気口１０２とファン１０５の間にはフィルター１０６を有し、さらに正面右上に受光レンズ１０７を設けている。また、遠隔操作するためのリモコン１０８を備えている。受光レンズ１０７の内部構成は図２１に示すように、受光ガイド１０９と受信部１１０で構成され、受光ガイド１０９の表面は光信号を全反射する鏡面仕上げとなっている。例えば特許文献１参照。
【０００４】
上記構成において、受信部１１０がリモコン１０８からの送信信号を受信する入射角Ａ内では、リモコン１０８からの送信信号が受光レンズ１０７を通過して、受光レンズ１０７近傍の受光ガイド１０９に入射することで、送信信号は受光ガイド１０９内を反射しながら進み、受信部１１０に到達する。
【特許文献１】実開平６−７３３８号公報
【発明の開示】
【発明が解決しようとする課題】
【０００５】
このような従来の空気清浄機では、空気清浄機本体の設置場所に関わらず、受信部の位置が固定されているので、空気清浄機本体の設置場所によっては受信部が送信信号を受信しないという課題があり、空気清浄機本体の設置場所に関わらず、受信部が送信信号を受信でき、使用者がリモコン操作を出来ることが要求されている。
【０００６】
本発明は、このような従来の課題を解決するものであり、空気清浄機本体の設置場所に関わらず、受信部が送信信号を受信でき、使用者がリモコン操作を出来て使いやすい空気清浄機を提供することを目的としている。
【課題を解決するための手段】
【０００７】
本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、前記送風手段を遠隔操作運転するリモコンと、このリモコンからの送信信号を受信するリモコン受信部を備え、前記リモコン受信部の位置を調整することができる可動部を備えるようにしたものである。
【０００８】
この手段により空気清浄機本体の設置場所に応じて、受信部の位置を可動でき、空気清浄機本体の設置場所に関わらず、受信部が送信信号を受信でき、使用者がリモコン操作を出来て使いやすい空気清浄機が得られる。
【０００９】
また、本発明の空気清浄機は上記目的を達成するために、可動部はリモコン受信部の位置を上下方向に調整することができるようにしたものである。
【００１０】
この手段により空気清浄機本体の設置場所に応じて、受信部の位置を可動でき、空気清浄機本体の設置場所に関わらず、受信部が送信信号を受信でき、使用者がリモコン操作を出来て使いやすい空気清浄機が得られる。
【００１１】
また、本発明の空気清浄機は上記目的を達成するために、可動部はリモコン受信部の位置を左右方向に調整することができるようにしたものである。
【００１２】
この手段により空気清浄機本体の設置場所に応じて、受信部の位置を可動でき、空気清浄機本体の設置場所に関わらず、受信部が送信信号を受信でき、使用者がリモコン操作を出来て使いやすい空気清浄機が得られる。
【００１３】
また、本発明の空気清浄機は上記目的を達成するために、可動部はリモコン受信部の位置を回転方向に調整することができるようにしたものである。
【００１４】
この手段により空気清浄機本体の設置場所に応じて、受信部の位置を可動でき、空気清浄機本体の設置場所に関わらず、受信部が送信信号を受信でき、使用者がリモコン操作を出来て使いやすい空気清浄機が得られる。
【００１５】
また、本発明の空気清浄機は上記目的を達成するために、可動部の動作を制御する制御部を備え、リモコン受信部の位置を自動で調整することができるようにしたものである。
【００１６】
この手段により空気清浄機本体の設置場所に応じて、受信部の位置を自動で可動でき、空気清浄機本体の設置場所に関わらず、受信部が送信信号を受信でき、使用者がリモコン操作を出来て使いやすい空気清浄機が得られる。
【００１７】
また、本発明の空気清浄機は上記目的を達成するために、リモコン受信部の位置を自動または手動のどちらでも調整することができるようにしたものである。
【００１８】
この手段により空気清浄機本体の設置場所に応じて、受信部の位置を自動または手動で可動でき、空気清浄機本体の設置場所に関わらず、受信部が送信信号を受信でき、使用者がリモコン操作を出来て使いやすい空気清浄機が得られる。
【００１９】
また、本発明の空気清浄機は上記目的を達成するために、人検出手段を備え、前記人検出手段が人を検出した方向にリモコン受信部の位置を調整するようにしたものである。
【００２０】
この手段により人がいる方向に受信部を可動でき、空気清浄機本体の設置場所に関わらず、受信部が送信信号を受信でき、使用者がリモコン操作を出来て使いやすい空気清浄機が得られる。
【００２１】
また、本発明の空気清浄機は上記目的を達成するために、人検出手段が人を検出しない場合、リモコン受信部の位置を停止しないようにしたものである。
【００２２】
この手段により受信可能範囲を広く保持でき、空気清浄機本体の設置場所に関わらず、受信部が送信信号を受信でき、使用者がリモコン操作を出来て使いやすい空気清浄機が得られる。
【００２３】
また、本発明の空気清浄機は上記目的を達成するために、人検出手段が人を検出しない時間が一定時間経った場合、リモコン受信部の位置の調整を停止するようにしたものである。
【００２４】
この手段により受信可能範囲を広く保持でき、空気清浄機本体の設置場所に関わらず、受信部が送信信号を受信でき、かつ消費電力を削減することが出来る空気清浄機が得られる。
【００２５】
また、本発明の空気清浄機は上記目的を達成するために、壁や障害物との距離を測定する距離測定手段を備え、前記距離測定手段が壁や障害物を検出しない方向に、リモコン受信部の位置を調整するようにしたものである。
【００２６】
この手段により受信部を壁や障害物の無い方向に可動でき、空気清浄機本体の設置場所に関わらず、受信部が送信信号を受信でき、使用者がリモコン操作を出来て使いやすい空気清浄機が得られる。
【００２７】
また、本発明の空気清浄機は上記目的を達成するために、距離測定手段の検出した距離が最長となる方向に、リモコン受信部の位置を調整するようにしたものである。
【００２８】
この手段により壁や障害物との距離が一番遠い方向に受信部を可動でき、空気清浄機本体の設置場所に関わらず、受信部が送信信号を受信でき、使用者がリモコン操作を出来て使いやすい空気清浄機が得られる。
【００２９】
また、本発明の空気清浄機は上記目的を達成するために、リモコンでリモコン受信部の位置を調整することができるようにしたものである。
【００３０】
この手段により空気清浄機本体から離れた位置からでも受信部の位置を可動でき、使用者がリモコン操作を出来て使いやすい空気清浄機が得られる。
【発明の効果】
【００３１】
本発明によれば、本体に設けた吸気口と、この吸気口から吸気した汚れ空気を清浄化する浄化手段と、この浄化手段に通風する送風手段と、空気中の汚れ成分を検出する汚れ検出手段と、前記送風手段を遠隔操作運転するリモコンと、このリモコンからの送信信号を受信するリモコン受信部を備え、前記リモコン受信部の位置を調整することができる可動部を備えることにより、空気清浄機本体の設置場所に応じて、受信部の位置を可動でき、空気清浄機本体の設置場所に関わらず、受信部が送信信号を受信でき、使用者がリモコン操作を出来て使いやすいという効果のある空気清浄機を提供できる。
【００３２】
また、可動部はリモコン受信部の位置を上下方向に調整することができるようにしたことにより、空気清浄機本体の設置場所に応じて、受信部の位置を可動でき、空気清浄機本体の設置場所に関わらず、受信部が送信信号を受信でき、使用者がリモコン操作を出来て使いやすいという効果のある空気清浄機を提供できる。
【００３３】
また、可動部はリモコン受信部の位置を左右方向に調整することができるようにしたことにより、空気清浄機本体の設置場所に応じて、受信部の位置を可動でき、空気清浄機本体の設置場所に関わらず、受信部が送信信号を受信でき、使用者がリモコン操作を出来て使いやすいという効果のある空気清浄機を提供できる。
【００３４】
また、可動部はリモコン受信部の位置を回転方向に調整することができるようにしたことにより、空気清浄機本体の設置場所に応じて、受信部の位置を可動でき、空気清浄機本体の設置場所に関わらず、受信部が送信信号を受信でき、使用者がリモコン操作を出来て使いやすいという効果のある空気清浄機を提供できる。
【００３５】
また、可動部の動作を制御する制御部を備え、リモコン受信部の位置を自動で調整することができるようにしたことにより、空気清浄機本体の設置場所に応じて、受信部の位置を自動で可動でき、空気清浄機本体の設置場所に関わらず、受信部が送信信号を受信でき、使用者がリモコン操作を出来て使いやすいという効果のある空気清浄機を提供できる。
【００３６】
また、リモコン受信部の位置を自動または手動のどちらでも調整することができるようにしたことにより、空気清浄機本体の設置場所に応じて、受信部の位置を自動または手動で可動でき、空気清浄機本体の設置場所に関わらず、受信部が送信信号を受信でき、使用者がリモコン操作を出来て使いやすいという効果のある空気清浄機を提供できる。
【００３７】
また、人検出手段を備え、前記人検出手段が人を検出した方向にリモコン受信部の位置を調整するようにしたことにより、人がいる方向に受信部を可動でき、空気清浄機本体の設置場所に関わらず、受信部が送信信号を受信でき、使用者がリモコン操作を出来て使いやすいという効果のある空気清浄機を提供できる。
【００３８】
また、人検出手段が人を検出しない場合、リモコン受信部の位置を停止しないようにしたことにより、受信可能範囲を広く保持でき、空気清浄機本体の設置場所に関わらず、受信部が送信信号を受信でき、使用者がリモコン操作を出来て使いやすいという効果のある空気清浄機を提供できる。
【００３９】
また、人検出手段が人を検出しない時間が一定時間経った場合、リモコン受信部の位置の調整を停止するようにしたことにより、受信可能範囲を広く保持でき、空気清浄機本体の設置場所に関わらず、受信部が送信信号を受信でき、かつ消費電力を削減することが出来るという効果のある空気清浄機を提供できる。
【００４０】
また、壁や障害物との距離を測定する距離測定手段を備え、前記距離測定手段が壁や障害物を検出しない方向に、リモコン受信部の位置を調整するようにしたことにより、受信部を壁や障害物の無い方向に可動でき、空気清浄機本体の設置場所に関わらず、受信部が送信信号を受信でき、使用者がリモコン操作を出来て使いやすいという効果のある空気清浄機を提供できる。
【００４１】
また、距離測定手段の検出した距離が最長となる方向に、リモコン受信部の位置を調整するようにしたことにより、壁や障害物との距離が一番遠い方向に受信部を可動でき、空気清浄機本体の設置場所に関わらず、受信部が送信信号を受信でき、使用者がリモコン操作を出来て使いやすいという効果のある空気清浄機を提供できる。
【００４２】
また、リモコンでリモコン受信部の位置を調整することができるようにしたことにより、空気清浄機本体から離れた位置からでも受信部の位置を可動でき、使用者がリモコン操作を出来て使いやすいという効果のある空気清浄機を提供できる。
【発明を実施するための最良の形態】
【００４３】
本発明の請求項１記載の発明は、本体に設けた吸気口と、この吸気口から吸気した汚れ空気を清浄化する浄化手段と、この浄化手段に通風する送風手段と、空気中の汚れ成分を検出する汚れ検出手段と、前記送風手段を遠隔操作運転するリモコンと、このリモコンからの送信信号を受信するリモコン受信部を備え、前記リモコン受信部の位置を調整することができる可動部を備えるようにしたものであり、空気清浄機本体の設置場所に応じて、受信部の位置を可動でき、空気清浄機本体の設置場所に関わらず、受信部が送信信号を受信でき、使用者がリモコン操作を出来て使いやすいという作用を有する。
【００４４】
また、可動部はリモコン受信部の位置を上下方向に調整することができるようにしたものであり、空気清浄機本体の設置場所に応じて、受信部の位置を可動でき、空気清浄機本体の設置場所に関わらず、受信部が送信信号を受信でき、使用者がリモコン操作を出来て使いやすいという作用を有する。
【００４５】
また、可動部はリモコン受信部の位置を左右方向に調整することができるようにしたものであり、空気清浄機本体の設置場所に応じて、受信部の位置を可動でき、空気清浄機本体の設置場所に関わらず、受信部が送信信号を受信でき、使用者がリモコン操作を出来て使いやすいという作用を有する。
【００４６】
また、可動部はリモコン受信部の位置を回転方向に調整することができるようにしたものであり、空気清浄機本体の設置場所に応じて、受信部の位置を可動でき、空気清浄機本体の設置場所に関わらず、受信部が送信信号を受信でき、使用者がリモコン操作を出来て使いやすいという作用を有する。
【００４７】
また、可動部の動作を制御する制御部を備え、リモコン受信部の位置を自動で調整することができるようにしたものであり、空気清浄機本体の設置場所に応じて、受信部の位置を自動で可動でき、空気清浄機本体の設置場所に関わらず、受信部が送信信号を受信でき、使用者がリモコン操作を出来て使いやすいという作用を有する。
【００４８】
また、リモコン受信部の位置を自動または手動のどちらでも調整することができるようにしたものであり、空気清浄機本体の設置場所に応じて、受信部の位置を自動または手動で可動でき、空気清浄機本体の設置場所に関わらず、受信部が送信信号を受信でき、使用者がリモコン操作を出来て使いやすいという作用を有する。
【００４９】
また、人検出手段を備え、前記人検出手段が人を検出した方向にリモコン受信部の位置を調整するようにしたものであり、人がいる方向に受信部を可動でき、空気清浄機本体の設置場所に関わらず、受信部が送信信号を受信でき、使用者がリモコン操作を出来て使いやすいという作用を有する。
【００５０】
また、人検出手段が人を検出しない場合、リモコン受信部の位置を停止しないようにしたものであり、受信可能範囲を広く保持でき、空気清浄機本体の設置場所に関わらず、受信部が送信信号を受信でき、使用者がリモコン操作を出来て使いやすいという作用を有する。
【００５１】
また、人検出手段が人を検出しない時間が一定時間経った場合、リモコン受信部の位置の調整を停止するようにしたものであり、受信可能範囲を広く保持でき、空気清浄機本体の設置場所に関わらず、受信部が送信信号を受信でき、かつ消費電力を削減することが出来るという作用を有する。
【００５２】
また、壁や障害物との距離を測定する距離測定手段を備え、前記距離測定手段が壁や障害物を検出しない方向に、リモコン受信部の位置を調整するようにしたものであり、受信部を壁や障害物の無い方向に可動でき、空気清浄機本体の設置場所に関わらず、受信部が送信信号を受信でき、使用者がリモコン操作を出来て使いやすいという作用を有する。
【００５３】
また、距離測定手段の検出した距離が最長となる方向に、リモコン受信部の位置を調整するようにしたものであり、壁や障害物との距離が一番遠い方向に受信部を可動でき、空気清浄機本体の設置場所に関わらず、受信部が送信信号を受信でき、使用者がリモコン操作を出来て使いやすいという作用を有する。
【００５４】
また、リモコンでリモコン受信部の位置を調整することができるようにしたものであり、空気清浄機本体から離れた位置からでも受信部の位置を可動でき、使用者がリモコン操作を出来て使いやすいという作用を有する。
【００５５】
以下、本発明の実施の形態について図面を参照しながら説明する。
【００５６】
（実施の形態１）
図１〜図３に示すように、空気清浄機の本体１は略箱形に形成され、本体１の側面には吸気口２を設けている。本体１内には空気を清浄化するための浄化手段としてのフィルター４と、このフィルター４に通風する送風手段としてのファンモーター３が備えられ、本体前面には空気中の汚れ成分を検出する汚れ検出手段としてのガスセンサー５と、リモコンからの送信信号を受信するリモコン受信部としての受光ユニット６を備え、受光ユニット６の位置を調整する可動部７が本体内に備えられ、可動部７は回転軸７ａ及びベルト７ｂにて形成され、受光ユニット６と接続されている。また、本体１とは別にファンモーター３を遠隔操作運転するリモコン８を備えている。
【００５７】
上記構成において、図１に示すように受光ユニット６は可動部７のベルト７ｂが回転軸７ａを支点に回転することにより、ベルト７ｂに接続された受光ユニット６が上下方向に移動し、受光ユニット６の位置を上下方向に調整することができる。また図２に示すように受光ユニット６は可動部７のベルト７ｂが回転軸７ａを支点に回転することにより、ベルト７ｂに接続された受光ユニット６が左右方向に移動し、受光ユニット６の位置を左右方向に調整することができる。また図３に示すように受光ユニット６は可動部７の回転軸７ａが回転することにより、回転軸７ａに接続された受光ユニット６が回転し、受光ユニット６の位置を回転方向に調整することができる。
【００５８】
このように空気清浄機本体の設置場所に応じて、受光ユニットの位置を可動でき、リモコンからの送信信号を受信する受信範囲が拡大することとなり、空気清浄機本体の設置場所に関わらず、受信部が送信信号を受信でき、使用者がリモコン操作を出来て使いやすくできる。
【００５９】
なお、実施の形態１では図１〜図３に示すように可動部７を回転軸７ａとベルト７ｂとしたが、回転軸７ａに換えて歯車であってもよく、その作用効果に差異を生じない。
【００６０】
なお、実施の形態１では空気中の汚れ成分を検出する汚れ検出手段として、ガスセンサー５としたが、空気中の汚れを検出できればよく、ほこりセンサーやＣＯ２センサーなどであってもよく、その作用効果に差異を生じない。空気中の汚れとしては、人に悪影響、あるいは不快などを与えるもので、例えば、ホルムアルデビドなどのＶＯＣ成分、メチルメルカプタン、硫化水素などの臭気、あるいは炭酸ガス、ホコリなどがある。ガスセンサーとしては、ホルムアルデビド、硫化水素などのガスが検知できればよく、例えば半導体ガスセンサーなどがある。
【００６１】
（実施の形態２）
本実施の形態は前記実施の形態１と制御方法が異なるのみであり、同一構成のものは同一番号を付して詳しい説明は省略する。
【００６２】
図４〜図７に示すように、可動部７の回転軸７ａに可動部７を制御する制御部９のステッピングモーター９ｂを備えている。また、制御部９にはステッピングモーター９ｂを駆動するマイクロコンピュータ９ａを備えている。
【００６３】
上記構成において、図４と図５に示すように制御部９のマイクロコンピュータ９ａによりステッピングモーター９ｂを自動制御し、ステッピングモーター９ｂを駆動する。ステッピングモーター９ｂの駆動によりステッピングモーター９ｂに接続された回転軸７ａが回転し、ベルト７ｂが回転する。ベルト７ｂが回転することにより、ベルト７ｂに接続された受光ユニット６が自動で上下方向に移動し、受光ユニット６の位置を上下方向に調整することができる。また図４と図６に示すように制御部９のマイクロコンピュータ９ａによりステッピングモーター９ｂを自動制御し、ステッピングモーター９ｂを駆動する。ステッピングモーター９ｂの駆動によりステッピングモーター９ｂに接続された回転軸７ａが回転し、ベルト７ｂが回転する。ベルト７ｂが回転することにより、ベルト７ｂに接続された受光ユニット６が自動で左右方向に移動し、受光ユニット６の位置を左右方向に調整することができる。また図４と図７に示すように制御部９のマイクロコンピュータ９ａによりステッピングモーター９ｂを自動制御し、ステッピングモーター９ｂを駆動する。ステッピングモーター９ｂの駆動によりステッピングモーター９ｂに接続された回転軸７ａが回転し、回転軸７ａに接続された受光ユニット６が自動で回転方向に移動し、受光ユニット６の位置を回転方向に調整することができる。
【００６４】
このように空気清浄機本体の設置場所に応じて、受光ユニット位置を自動または手動で可動でき、リモコンからの送信信号を受信する受信範囲が拡大することとなり、空気清浄機本体の設置場所に関わらず、受信部が送信信号を受信でき、使用者がリモコン操作を出来て使いやすくできる。
【００６５】
（実施の形態３）
本実施の形態は前記実施の形態１あるいは２と制御方法が異なるのみであり、同一構成のものは同一番号を付して詳しい説明は省略する。
【００６６】
図８〜図１１に示すように、人検出手段としての焦電型赤外線センサ１０を受光ユニット６と同じ位置に設け、焦電型赤外線センサ１０の人検出信号を制御部９のマイクロコンピュータ９ａに送信し、人の有無を検出している。
【００６７】
上記構成において、図１２を参照しながら説明する。図１２に示すように空気清浄機が運転を開始すると、回転軸７ａとベルト７ｂがステッピングモーター９ｂの駆動により回転し、可動部７は駆動する。可動部７が駆動することにより受光ユニット６の位置は変動する。受光ユニット６と同じ位置に設けられた焦電型赤外線センサ１０が人の有無を検出する。このとき焦電型赤外線センサ１０が人を検出した場合、現在の位置で受光ユニット６の位置を決定し、可動部７の駆動を停止する。焦電型赤外線センサ１０が人を検出しない場合は、可動部７を駆動し続けることとなり、受光ユニット６の位置も変動を続ける。また、図１３を参照しながら説明する。図１３に示すように空気清浄機が運転を開始すると、回転軸７ａとベルト７ｂがステッピングモーター９ｂの駆動により回転し、可動部７は駆動する。可動部７が駆動することにより受光ユニット６の位置は変動する。受光ユニット６と同じ位置に設けられた焦電型赤外線センサ１０が人の有無を検出する。このとき焦電型赤外線センサ１０が人を検出した場合、現在の位置で受光ユニット６の位置を決定し、可動部７の駆動を停止する。焦電型赤外線センサ１０が人を検出しない場合は、焦電型赤外線センサ１０が人を検出していない時間の判定を行う。焦電型赤外線センサ１０が人を検出していない時間が例えば１時間以上経過した場合は、可動部７の駆動を停止する。
【００６８】
このように空気清浄機本体の設置場所に応じて、人がいる方向に受信部を可動でき、空気清浄機本体の設置場所に関わらず、受信部が送信信号を受信でき、使用者がリモコン操作を出来て使いやすくできる。
【００６９】
また、受光ユニットの受信可能範囲を広く保持でき、かつ消費電力を削減することができる。
【００７０】
（実施の形態４）
本実施の形態は前記実施の形態１あるいは２と制御方法が異なるのみであり、同一構成のものは同一番号を付して詳しい説明は省略する。
【００７１】
図１４〜図１７に示すように、距離測定手段としての超音波センサー１１を受光ユニット６と同じ位置に設け、超音波センサー１１の検出信号を制御部９のマイクロコンピュータ９ａに送信し、障害物との距離を検出している。
【００７２】
上記構成において、図１８を参照しながら説明する。図１８に示すように空気清浄機が運転を開始すると、回転軸７ａとベルト７ｂがステッピングモーター９ｂの駆動により回転し、可動部７は駆動する。可動部７が駆動することにより受光ユニット６の位置は変動する。受光ユニット６と同じ位置に設けられた超音波センサー１１が障害物との距離を検出する。このとき超音波センサーの検出信号が障害物無しの場合、現在の位置で受光ユニット６の位置を決定し、可動部７の駆動を停止する。超音波センサー１１が障害物を検出した場合は、可動部７を駆動し続けることとなり、受光ユニット６の位置も変動を続ける。また、図１９を参照しながら説明する。図１９に示すように空気清浄機が運転を開始すると、回転軸７ａとベルト７ｂがステッピングモーター９ｂの駆動により回転し、可動部７は駆動する。可動部７が駆動することにより受光ユニット６の位置は変動する。受光ユニット６と同じ位置に設けられた超音波センサー１１が障害物との距離を検出する。このとき超音波センサー１１の検出信号が障害物無しの場合、現在の位置で受光ユニット６の位置を決定し、可動部７の駆動を停止する。超音波センサー１１が障害物を検出した場合は、障害物との距離を判定する。受光ユニット６の可動範囲内にて、障害物との距離が最長となる場合、受光ユニット６の位置を決定し、可動部７の駆動を停止する。また、使用者がリモコン８を操作することにより、リモコン８からの送信信号を受光ユニット６が受信し、マイクロコンピュータ９ａがステッピングモーター９ｂを駆動することにより、受光ユニット６の位置を調整することができる。
【００７３】
このように空気清浄機本体の設置場所に応じて、受信部を壁や障害物の無い方向に可動でき、空気清浄機本体の設置場所に関わらず、受信部が送信信号を受信でき、使用者がリモコン操作を出来て使いやすくできる。
【００７４】
また、空気清浄機本体の設置場所に応じて、壁や障害物との距離が一番遠い方向に受信部を可動でき、空気清浄機本体の設置場所に関わらず、受信部が送信信号を受信でき、使用者がリモコン操作を出来て使いやすくできる。
【００７５】
また、空気清浄機本体から離れた位置からでも受信部の位置を可動でき、使用者がリモコン操作を出来て使いやすくできる。
【００７６】
なお、実施の形態４では壁や障害物との距離測定手段として、超音波センサー１１としたが、測距センサーであってもよく、その作用効果に差異を生じない。
【産業上の利用可能性】
【００７７】
受信部を可動でき、受信部の受信可能範囲を拡大できるので、使用者から離れた場所で使用するエアコンやファンヒーターなどの空調機器の受信部などにも適用できる。
【図面の簡単な説明】
【００７８】
【図１】本発明の実施の形態１の空気清浄機の構成図
【図２】同空気清浄機の構成図
【図３】同空気清浄機の構成図
【図４】本発明の実施の形態２の制御ブロック図
【図５】同空気清浄機の構成図
【図６】同空気清浄機の構成図
【図７】同空気清浄機の構成図
【図８】本発明の実施の形態３の制御ブロック図
【図９】同空気清浄機の構成図
【図１０】同空気清浄機の構成図
【図１１】同空気清浄機の構成図
【図１２】同フローチャート
【図１３】同フローチャート
【図１４】本発明の実施の形態４の制御ブロック図
【図１５】同空気清浄機の構成図
【図１６】同空気清浄機の構成図
【図１７】同空気清浄機の構成図
【図１８】同フローチャート
【図１９】同フローチャート
【図２０】従来の空気清浄機の外観斜視図
【図２１】同要部拡大断面図
【符号の説明】
【００７９】
１    本体
２    吸気口
３    ファンモーター
４    フィルター
５    ガスセンサー
６    受光ユニット
７    可動部
７ａ  回転軸
７ｂ  ベルト
８    リモコン
９    制御部
９ａ  マイクロコンピュータ
９ｂ  ステッピングモーター
１０  焦電型赤外線センサ
１１  超音波センサー
【図１】
2009101304.tif 000003
【図２】
2009101304.tif 000004
【図３】
2009101304.tif 000005
【図４】
2009101304.tif 000006
【図５】
2009101304.tif 000007
【図６】
2009101304.tif 000008
【図７】
2009101304.tif 000009
【図８】
2009101304.tif 000010
【図９】
2009101304.tif 000011
【図１０】
2009101304.tif 000012
【図１１】
2009101304.tif 000013
【図１２】
2009101304.tif 000014
【図１３】
2009101304.tif 000015
【図１４】
2009101304.tif 000016
【図１５】
2009101304.tif 000017
【図１６】
2009101304.tif 000018
【図１７】
2009101304.tif 000019
【図１８】
2009101304.tif 000020
【図１９】
2009101304.tif 000021
【図２０】
2009101304.tif 000022
【図２１】
2009101304.tif 000023